(57)【要約】      （修正有）【課題】細かく正確な距離を計る。【解決手段】上下辺に異なる色尺率のメモリが記され中央に上下辺と平行に凹部が設けられた３片の計測面を持つ略三角柱状の三角スケールと、三角スケールの凹部に挿入することができる２本の凸部と倍率の異なり垂直部を持つ２つの拡大レンズを備えた略Ｖ字型の拡大レンズカバーと、３面の計測面のうちの１面の一端に計測面の上面から下面にかけて長方形状のストッパを設け、３面の計測面のうちの１面の凹部の一端に長方形状の小片のストッパを凹部に橋を架けるように設けた三角スケールと前記三角スケールの凹部に設けたストッパに係止するように拡大レンズカバーの凸部の一端に突起を設け、三角スケールの凹部に挿入することができる１本の凸部と垂直部と係止面を備えた略Ｖ字型の拡大レンズカバーを設け、３００分の１と、４００分の１と、５００分の１と、６００分の１を示す拡大レンズカバー付三角スケール。【選択図】  図１
2006003158.tif 000002
【特許請求の範囲】
【請求項１】
上下辺に異なる色尺率のメモリが記され中央に上下辺と平行に凹部が設けられた３片の計測面を持つ略三角柱状の三角スケールと、三角スケールの凹部に挿入することができる２本の凸部と倍率の異なり垂直部を持つ２つの拡大レンズを備えた略Ｖ字型の拡大レンズカバーとからなることを特徴とする拡大レンズカバー付三角スケール。
【請求項２】
３面の計測面のうちの１面の一端に計測面の上面から下面にかけて長方形状のストッパを設けたことを特徴とする請求項１に記載の拡大レンズ付三角スケール。
【請求項３】
３面の計測面のうちの１面の凹部の一端に長方形状の小片のストッパを凹部に橋を架けるように設けた三角スケールと前記三角スケールの凹部に設けたストッパに係止するように拡大レンズの凸部の一端に突起を設けたことを特徴とする請求項１または請求項２に記載の拡大レンズ付三角スケール。
【請求項４】
三角スケールの凹部に挿入することができる１本の凸部と垂直部と係止面を持つ略Ｖ字型の拡大レンズカバーを設けたことを特徴とする請求項１、請求項２又は請求項３に記載の拡大レンズ付三角スケール。
【請求項５】
３００分の１を示す計測面の１ｃｍ当たりの目盛り数を３０とし１目盛りが１０ｃｍを示すことを特徴とした請求項１、請求項２、請求項３または請求項４に記載の拡大レンズカバー付三角スケール。
【請求項６】
４００分の１を示す計測面の１ｃｍ当たりの目盛り数を４０とし１目盛りが１０ｃｍを示すことを特徴とした請求項１、請求項２、請求項３または請求項４に記載の拡大レンズカバー付三角スケール。
【請求項７】
５００分の１を示す計測面の１ｃｍ当たりの目盛り数を５０とし１目盛りが１０ｃｍを示すことを特徴とした請求項１、請求項２、請求項３または請求項４に記載の拡大レンズカバー付三角スケール。
【請求項８】
６００分の１を示す計測面の１ｃｍあたりの目盛り数を３０とし１目盛りが２０ｃｍを示すことを特徴とした請求項１、請求項２、請求項３または請求項４に記載の拡大レンズカバー付三角スケール。
【発明の詳細な説明】
【技術分野】
【０００１】
本発明は、地図上等で実寸を計る三角スケールに関する発明である。
【背景技術】
【０００２】
従来の三角スケールは縮尺された地図の上で同じ縮尺率の三角スケールを使用して実寸を計るものであった。
【０００３】
しかしながら、従来の三角スケールで１／２５０ｍや１／５００ｍのメモリを使用して実寸を計る際はメモリが小さすぎて正確な距離を測ることが困難であった。
【０００４】
また、メモリが小さいわりには一目盛りが表す距離が大きすぎ正確ではなかった。
【発明の開示】
【発明が解決しようとする課題】
【０００５】
そこで、本発明は三角スケールに拡大レンズを取り付けることで、これまで肉眼では読みにくかった目盛りを読むことができ、更に細かく正確な距離を測ることができる拡大レンズ付三角スケールを提供することを目的とするものである。
【課題を解決するための手段】
【０００６】
本発明は、上記の課題を解決するために、上下辺に異なる色尺率のメモリが記され中央に上下辺と平行に凹部が設けられた３片の計測面を持つ略三角柱状の三角スケールと、三角スケールの凹部に挿入することができる２本の凸部と倍率の異なり垂直部を持つ２つの拡大レンズを備えた略Ｖ字型の拡大レンズカバーとからなることを特徴とする拡大レンズカバー付三角スケールと、３面の計測面のうちの１面の一端に計測面の上面から下面にかけて長方形状のストッパを設けたことを特徴とする拡大レンズカバー付三角スケールと、３面の計測面のうちの１面の凹部の一端に長方形状の小片のストッパを凹部に橋を架けるように設けた三角スケールと前記三角スケールの凹部に設けたストッパに係止するように拡大レンズカバーの凸部の一端に突起を設けたことを特徴とする拡大レンズカバー付三角スケールと、三角スケールの凹部に挿入することができる１本の凸部と垂直部と係止面を備えた略Ｖ字型の拡大レンズカバーを設けたことを特徴とする拡大レンズ付三角スケールと、３００分の１を示す計測面の１ｃｍ当たりの目盛り数を３０とし１目盛りが１０ｃｍを示すことを特徴とした拡大レンズカバー付三角スケールと、４００分の１を示す計測面の１ｃｍ当たりの目盛り数を４０とし１目盛りが１０ｃｍを示すことを特徴とした拡大レンズカバー付三角スケールと、５００分の１を示す計測面の１ｃｍ当たりの目盛り数を５０とし１目盛りが１０ｃｍを示すことを特徴とした拡大レンズカバー付三角スケールと、６００分の１を示す計測面の１ｃｍあたりの目盛り数を３０とし１目盛りが２０ｃｍを示すことを特徴とした拡大レンズカバー付三角スケールの構成とした。
【発明の効果】
【０００７】
本発明の拡大レンズカバー付三角スケールは、拡大レンズが付いているためメモリが細かい計測面であっても正確な距離を計測することができ、また拡大レンズに垂直面を設けたため計測しながら筆記具等で記す場合でも邪魔にならずに使用できる。
【０００８】
また、計測面に記される各縮尺率の目盛りを細かくしたことで更に正確な距離を地図上で測ることができる。
【発明を実施するための最良の形態】
【０００９】
肉眼で計測することが難しかったメモリを正確に読み取りかつ作業の邪魔にならない三角スケールという目的を垂直部を備えた拡大レンズカバーを取り付けることによって実現した。
【実施例１】
【００１０】
図１は、本発明である拡大レンズカバー付三角スケールの斜視図、図２は拡大レンズカバー付三角スケールの断面図である。
【００１１】
図１に示すように本発明である拡大レンズカバー付三角スケール１は、三角スケール２と拡大レンズカバー３とからなる。前記三角スケール２は略三角柱状をしており、各計測面２ａ、２ａ、２ａの上下辺には縮尺率の異なるメモリ２ｃ、２ｃ、２ｃ・・・が記されている。
【００１２】
図１及び図２に示すように各計測面２ａ、２ａ、２ａの中央には上下辺と平行に凹部２ｂ、２ｂ、２ｂが設けられており、計測面は上下辺から中央の凹部２ｂ、２ｂ、２ｂに向かって傾斜している。
【００１３】
前記拡大レンズカバー３は略Ｖ字型をした透明な拡大レンズカバー本体３ａからなり、内側には前記三角スケール２の凹部２ｂに対応する凸部３ｂ、３ｂが設けられている。図１及び図２に示すように拡大レンズカバーの凸部３ｂ、３ｂを前記三角スケール２の凹部２ｂ、２ｂに横方向からスライドさせて被せることができる。
【００１４】
図２に示すように、前記拡大レンズカバー本体３ａの両下端は２．０倍拡大レンズ３ｃと３．５倍拡大レンズ３ｅとなっており、２．０倍拡大レンズ３ｃ及び３．５倍拡大レンズ３ｅの側面は垂直部３ｄ、３ｄとなっている。尚、２．０倍及び３．５倍とした拡大レンズの倍率はこれに限定するものでない。
【００１５】
前記拡大レンズカバー本体３ａの内側に設けられた凸部３ｂ、３ｂは前記三角スケール２のどの凹部２ｂ、２ｂ、２ｂともスライドスライド挿入することができる。このため、拡大レンズカバー３は三角スケール２のどの計測面２ａ、２ａ、２ａにも被せる事ができ、メモリ２ｃ、２ｃ、２ｃ・・・を拡大することができる。
【実施例２】
【００１６】
図３は本発明である拡大レンズカバー付三角スケールの第２実施例の斜視図である。図３に示すように、本発明である拡大レンズカバー付三角スケール１ａは三角スケール２と拡大レンズカバー３とからなり、拡大レンズカバー３は前記実施例１の拡大レンズカバー３と同じである。
【００１７】
前記三角スケール２は図１及び図２に示した実施例１の三角スケール２とほぼ同様な形状をしているが、３面の計測面のうちの１面の一端に計測面の上面から下面にかけて長方形状のストッパ２ｄを設けており、このストッパ２ｄにより三角スケール２と拡大レンズカバー３のスライドにより取り外しを一方向に制限している。
【実施例３】
【００１８】
図４は本発明である拡大レンズカバー付三角スケールの第３実施例の斜視図、図５は拡大レンズカバー付三角スケールの第３実施例の拡大図である。図４及び図５に示すように本発明である拡大レンズカバー付三角スケール１ｂは三角スケール２と拡大レンズカバー３とからなる。
【００１９】
前記三角スケール２は図１から図４に示した実施例１及び実施例２の三角スケール２とほぼ同様な形状をしているが、図５に示すように３面の計測面のうちの１面の凹部の一端に長方形状の小片のストッパ２ｅを凹部２ｂに橋を架けるように設けられている。
【００２０】
前記拡大レンズカバー３は図１から図４に示した実施例１及び実施例２の拡大レンズカバー３とほぼ同様な形状をしているが、図５に示すように拡大レンズカバー３の凸部の一端に突起３ｆを設けている。
【００２１】
前記三角スケール２の凹部２ｂとストッパ２ｅとの間に設けられた空洞部には前記拡大レンズカバー３の突起３ｆが挿入され固定される。この構造により拡大レンズカバー３と三角スケール２はしっかりと固定され勝手に離れることはない。
【実施例４】
【００２２】
図６は本発明である拡大レンズカバー付三角スケールの第４実施例の断面図である。図６に示すように本発明である拡大レンズカバー付三角スケール１ｃは三角スケール２と拡大レンズカバー３とからなる。拡大レンズカバー付三角スケール１ｃの三角スケール２は前記実施例１、実施例２または実施例３の三角スケール２と同様の形である。
【００２３】
前記拡大レンズカバー３は前記三角スケール２の凹部２ｂに挿入することができる１本の凸部３ｂと垂直部３ｄと係止面３ｇ持つ略Ｖ字型の拡大レンズカバー本体３ａとからなり、前記実施例１、実施例２又は実施例３の拡大レンズカバー３の拡大レンズが設けられる面が一つになったものである。
【００２４】
図７は本発明である拡大レンズカバー付三角スケールの各縮尺率の計測面を示した拡大図である。実施例１から実施例４に示した拡大レンズカバー付三角スケール１、１ａ、１ｂ、１ｃの図７に示す計測面４、５、６、７を持っている。
【００２５】
図７に示すように三角スケール４の計測面４ａに記された目盛りは縮尺率４ｃが３００分の１であり、実際の１ｃｍ８に３０目盛りが打たれ一目盛りが１０ｃｍを表している。この目盛りは従来１ｃｍ内に１５目盛りが打たれ一目盛りが２０ｃｍを表していた時よりも細かい距離に対応している。尚、符号４ｂは凹部を示している。
【００２６】
三角スケール５の計測面５ａに記された目盛りは縮尺率５ｃが４００分の１であり、実際の１ｃｍ８に４０目盛りが打たれ、一目盛りが１０ｃｍを表している。この目盛りは従来１ｃｍ内に２０目盛りが打たれ一目盛りが２０ｃｍを表していた時よりも細かい距離に対応している。尚、符号５ｃは凹部を示している。
【００２７】
三角スケール６の計測面６ａに記された目盛りは縮尺率６ｃが５００分の１であり、実際の１ｃｍ８に５０目盛りが打たれ、一目盛りが１０ｃｍを表している。この目盛りは従来１ｃｍ内に２５目盛りが打たれ一目盛りが２０ｃｍを表していた時よりも細かい距離に対応している。尚、符号６ｃは凹部を示している。
【００２８】
三角スケール７の計測面７ａに記された目盛りは縮尺率７ｃが６００分の１であり、実際の１ｃｍ８に３０目盛りが打たれ、一目盛りが２０ｃｍを表している。この目盛りは従来１ｃｍ内に１２目盛りが打たれ一目盛りが５０ｃｍを表していた時よりも細かい距離に対応している。尚、符号７ｃは凹部を示している。
【図面の簡単な説明】
【００２９】
【図１】本発明である拡大レンズカバー付三角スケールの斜視図である。
【図２】本発明である拡大レンズカバー付三角スケールの断面図である。
【図３】本発明である拡大レンズカバー付三角スケールの第２実施例の斜視図である。
【図４】本発明である拡大レンズカバー付三角スケールの第３実施例の斜視図である。
【図５】本発明である拡大レンズカバー付三角スケールの第３実施例の拡大図である。
【図６】本発明である拡大レンズカバー付三角スケールの第４実施例の断面図である。
【図７】本発明である拡大レンズカバー付三角スケールの各縮尺率の計測面を示した拡大図である。
【符号の説明】
【００３０】
１      拡大レンズカバー付三角スケール
１ａ    拡大レンズカバー付三角スケール
１ｂ    拡大レンズカバー付三角スケール
１ｃ    拡大レンズカバー付三角スケール
２      三角スケール
２ａ    計測面
２ｂ    凹部
２ｃ    メモリ
２ｄ    ストッパ
２ｅ    ストッパ
３      拡大レンズカバー
３ａ    拡大レンズカバー本体
３ｂ    凸部
３ｃ    ２．０倍拡大レンズ
３ｄ    垂直部
３ｅ    ３．５倍拡大レンズ
３ｆ    突起
３ｇ    係止面
４      三角スケール
４ａ    計測面
４ｂ    凹部
４ｃ    縮尺率
５      三角スケール
５ａ    計測面
５ｂ    凹部
５ｃ    縮尺率
６      三角スケール
６ａ    計測面
６ｂ    凹部
６ｃ    縮尺率
７      三角スケール
７ａ    計測面
７ｂ    凹部
７ｃ    縮尺率
８      実際の１ｃｍ
【図１】
2006003158.tif 000003
【図２】
2006003158.tif 000004
【図３】
2006003158.tif 000005
【図４】
2006003158.tif 000006
【図５】
2006003158.tif 000007
【図６】
2006003158.tif 000008
【図７】
2006003158.tif 000009